(57)【要約】      （修正有）【課題】体積が小さく携帯に便利であるとともに、人体の各部位の皮膚に適用できる貼り付け式の光線治療装置を提供する。【解決手段】光線治療装置は、光透過絶縁キャリア１０と光源モジュール２０とを備え、光源モジュールが光透過絶縁キャリアの内部に設けられ、制御回路板２０１と、電気供給素子２０１１と、スイッチ２０１２と、少なくとも一つの発光ダイオード２０１３と、を備え、発光ダイオードとスイッチおよび電気供給素子とがそれぞれ制御回路板に結合し、互いに電気的に接続される。また、光透過絶縁キャリア１０は粘着シート状で表面に接着層１０１を備える。【選択図】図３
0003185615.tif 000002
【実用新案登録請求の範囲】
【請求項１】
光透過絶縁キャリアと、
前記光透過絶縁キャリアの内部に設けられ、制御回路板と、電気供給素子と、スイッチと、少なくとも一つの発光ダイオードとを備える光源モジュールと、を備え、
前記発光ダイオードと前記スイッチおよび前記電気供給素子とがそれぞれ前記制御回路板に結合し、互いに電気的に接続されることを特徴とする、
光線治療装置。
【請求項２】
前記光透過絶縁キャリアは、粘着シートであることを特徴とする請求項１記載の光線治療装置。
【請求項３】
前記光透過絶縁キャリアは、光透過性プラスチックで作製されることを特徴とする請求項１記載の光線治療装置。
【請求項４】
前記光透過絶縁キャリアは、前記光透過絶縁キャリアの表面に設けられた接着層をさらに有することを特徴とする請求項１記載の光線治療装置。
【考案の詳細な説明】
【技術分野】
【０００１】
本考案は、光線治療装置に係り、特に、貼り付け式光線治療装置の利便性を利用することにより、当該光線治療装置の体積を減少し携帯に便利であるとともに、コストを有効に削減し、かつ、貼り付け式の設計を用いることで、人体の各部位の皮膚に好適に貼り付けて用いられることが可能であり、消費者の使用自由性が大幅に向上される、光線治療装置に係る。
【背景技術】
【０００２】
広義の光線治療は、各種の単一波長のレーザと複合波長のパルス光とを含み、異なる波長の光およびエネルギーを用いて、皮膚に異なる治療効果を生じさせることができる。例えば、レーザの場合には、エネルギーを極めて短い時間内で釈放することができ、しかも、レーザは、単一波長の光を出力し、選択的に破壊することができ、脱毛や、シミ消し、ピーリング、母斑除去などの技術によく利用されている。
また、パルス光の場合には、複数レーザが混合され、当該光ビームは、多波長、高エネルギーのパルス式フラッシュであり、非侵襲式の治療で肌の深層まで到達し細胞を活性化させることにより、色素斑や、血管拡張、毛穴粗大、細かいしわ、弛みなどの様々な皮膚問題を、改善、治療することができる。
しかしながら、前記光線治療装置のほとんどは、その体積が大きく、収納しにくい欠点があり、かつ、購入にかかるコストが高く、一般の人が美容施設に行って利用するとき、多くの費用を支払わなければならない。また、それぞれの人にとって治療および改善に必要とする部位が異なっており、美容施設で治療を利用する際に、個人のプライバシーを有効に保護できない。
このように、光線治療装置は、コストを削減し、プライバシーを保護し、収納が便利である特性を有するように改良する必要がある。
【０００３】
以上に鑑みて、本考案者は、関連製品の製造開発および設計に従事する経験の元で、上記の目標に対し、詳細に設計し慎重に評価した結果、実用性がある本考案の考案に至った。
【考案の概要】
【考案が解決しようとする課題】
【０００４】
本考案は、光線治療装置の体積を減少し携帯に便利であるとともに、自己操作で人体の各部位に利用することができ、個人のプライバシーおよび使用の自由性が大幅に向上し、かつ貼り付け式の設計を用いることにより、便利である他、コストがより効率的に低下される、様々な人体部位に適用される貼り付け式の光線治療装置を提供することを主な目的とする。
【課題を解決するための手段】
【０００５】
前記の目的を達成するための、本考案に係る光線治療装置は、光透過絶縁キャリアと光源モジュールとを備える光線治療装置であって、前記光源モジュールが前記光透過絶縁キャリアの内部に設けられ、制御回路板と、電気供給素子と、スイッチと、少なくとも一つの発光ダイオードとを備え、前記発光ダイオードと前記スイッチおよび前記電気供給素子とがそれぞれ前記制御回路板に結合し、互いに電気的に接続される。
【０００６】
前記のような光線治療装置において、前記光透過絶縁キャリアは、粘着シートである。
【０００７】
前記のような光線治療装置において、前記光透過絶縁キャリアは、光透過性プラスチックで作製される。
【０００８】
前記のような光線治療装置において、前記光透過絶縁キャリアは、前記光透過絶縁キャリアの表面に設けられた接着層をさらに有する。
【０００９】
本考案の特徴、特点および技術的内容をより深く理解するために、以下の本考案に係る詳細説明および添付図面を参照するが、前記添付図面は参考や説明のために供されるにすぎず、本考案を限定するものではない。
【図面の簡単な説明】
【００１０】
【図１】本考案に係る光線治療装置の平面図である。
【図２】本考案に係る光線治療装置の底面図である。
【図３】本考案に係る光線治療装置の断面図である。
【考案を実施するための形態】
【００１１】
図１〜図３に示すように、本考案の光線治療装置は、光透過絶縁キャリア１０と光源モジュール２０と、を備え、光透過絶縁キャリア１０は（本実施例では、光透過絶縁キャリア１０は、粘着シート状でシリコンから作製されるが、上記は本実施例に過ぎず、本考案の実施範囲を限定するものではない。実際の使用時に、例えば、ゴムや、ポリイミド、ポリウレタンおよびポリスチレン等その他の形式の光透過性プラスチックを用いてもよい）光透過絶縁キャリア１０の表面に設けられた接着層１０１を備える。
光源モジュール２０は光透過絶縁キャリア１０の内部に設けられ、制御回路板２０１と、駆動器２０１４と、電気供給素子２０１１と、スイッチ２０１２と、３つの発光ダイオード２０１３と、を備え、これらの発光ダイオード２０１３、スイッチ２０１２、電気供給素子２０１１および駆動器２０１４は、それぞれ制御回路板２０１に結合し、互いに電気的に接続される。
【００１２】
図１〜図３に示すように、本考案の光線治療装置は、本実施例の実際の運用時に、光透過絶縁キャリア１０の表面の接着層１０１を人体における治療および改善する必要がある部位に貼り付け、しかも人体の各部位に自己操作で利用することができるため、プライバシーが有効に保護され、かつ消費者の使用意欲を高めることができる。
光透過絶縁キャリア１０が人体に貼り付けられた時に、該スイッチ２０１２をタッチしてオンさせた後、駆動器２０１４がこれらの発光ダイオード２０１３（本実施例では、これらの発光ダイオードの波長が３９０〜４７０ｎｍ、５００〜５５０ｎｍ、５８０〜６００ｎｍ、６２０〜６７０ｎｍ、および７００〜１０００ｎｍ…などであればよいが、上記は本実施例に過ぎず、本考案の実施範囲を限定するものではない。実際の使用時に、他の波長の発光ダイオード２０１３を用いてもよい）を発光するように駆動し、最後に、電気供給素子２０１１により電力を供給し続けて、これらの発光ダイオード２０１３が継続的に発光可能に維持する。
使用が完了した後、スイッチ２０１２をタッチして電源をオフし、電気供給素子２０１１による電力供給を中断させ、これらの発光ダイオード２０１３を滅灯し、人体の貼り付けられた部位から外せばよい。よって、操作方式が容易かつ便利であり、一般の人も利用可能で、粘着シートの設計を用いることにより、コストが一層低下される。
【００１３】
以上のように、本考案の光線治療装置は、光透過絶縁キャリア１０と光源モジュール２０とが設けられることにより、光線治療装置の体積が減少され、携帯に便利であり、光線治療装置は人体の各部位に自己操作で利用することができるため、個人のプライバシーを有効に保護する。また、光線治療装置は、貼り付け式の設計を用いることにより、コストが一層低下されるため、本考案は、従来技術の欠点を確かに改善するものである。
【００１４】
以上の説明に基づいて、当該技術を熟知する当業者であれば、本考案が前記目的を的確に達成できることを理解できる。本考案は法上の規定を満たしているため、法に従って出願する。
しかし、前述した開示は、単に本考案の好ましい具体的な実施例に過ぎず、本考案の実用新案登録請求の範囲を限定するものではなく、いずれの本考案の明細書および図面の内容によって実施した等価な変形も、本考案の主張範囲内に納入されるべきことは言うまでもない。
【符号の説明】
【００１５】
１０      光透過絶縁キャリア
２０      光源モジュール
１０１    接着層
２０１    制御回路板
２０１１  電気供給素子
２０１２  スイッチ
２０１３  発光ダイオード
２０１４  駆動器
【図１】
0003185615.tif 000003
【図２】
0003185615.tif 000004
【図３】
0003185615.tif 000005